(57)【要約】【課題】手書き又はジェスチャーにより入力された図形の描画軌跡をユーザが簡単かつ確実に認識できるようにし、これにより入力操作性の向上を図る。【解決手段】リモコン端末１から手書き入力された図形の入力座標データを受信するごとに、１つ前の入力座標データとの差をもとに描画方向が垂直方向か水平方向かを判定し、さらに上記入力座標の差の符号をもとに上方向又は下方向か、右方向又は左方向かを判定する。そして、描画方向が下から上方向の場合には音程が次第に高くなり、上から下方向の場合には音程が次第低くなるような効果音を出力させる。これに対し描画方向が右から左方向の場合にはステレオ音場における効果音の音源位置が右から左方向に移動し、一方左から右方向の場合には音源位置が左から左方向に移動するような効果音を出力させる。【選択図】図２
2013225211.tif 000002
【特許請求の範囲】
【請求項１】
ジェスチャーにより描かれた図形データを時系列に従い取り込んで保存する手段と、
第１の時刻に描かれた図形データの描画座標と、当該第１の時刻より前の第２の時刻に描かれた図形データの描画座標との差を算出し、この算出された差をもとに前記図形データの描画方向が第１の描画方向であるか否かを判定する第１の判定手段と、
前記図形データの描画方向が前記第１の描画方向であると判定された場合に、当該第１の描画方向に対応付けて予め設定した第１のジェスチャー入力確認音を、前記第１の時刻に同期して出力する第１の出力手段と
を具備することを特徴とする情報入力装置。
【請求項２】
前記算出された差をもとに、前記図形データの描画方向が前記第１の描画方向と異なる第２の描画方向であるか否かを判定する第２の判定手段と、
前記図形データの描画方向が前記第２の描画方向であると判定された場合に、当該第２の描画方向に対応付けて予め設定した第２のジェスチャー入力確認音を、前記第１の時刻に同期して出力する第２の出力手段と
を、さらに具備することを特徴とする請求項１記載の情報入力装置。
【請求項３】
前記第１の判定手段は、前記第１の描画方向を垂直方向に設定し、前記図形データの描画方向が前記第１の描画方向であると判定された場合に、当該図形データの描画方向が上方向又は下方向の何れであるかを判定し、
前記第１の出力手段は、前記図形データの描画方向が上方向か下方向かを示す判定結果に応じて音程が変化するように構成された第１のジェスチャー入力確認音を出力することを特徴とする請求項１記載の情報入力装置。
【請求項４】
前記第２の判定手段は、前記第２の描画方向を水平方向に設定し、前記図形データの描画方向が前記第２の描画方向であると判定された場合に、当該図形データの描画方向が右方向又は左方向の何れであるかを判定し、
前記第２の出力手段は、前記図形データの描画方向が右方向か左方向かを示す判定結果に応じて音場の位置が水平方向に変化するように設定された第２のジェスチャー入力確認音を出力することを特徴とする請求項２記載の情報入力装置。
【発明の詳細な説明】
【技術分野】
【０００１】
この発明は、テレビジョン受信機や録画再生装置に対し、チャネル情報やメニューの選択情報等をユーザの手書きや指の動き等によるジェスチャーを用いて入力する情報入力装置に関する。
【背景技術】
【０００２】
近年、インターネットにアクセスするためのブラウザ機能がパーソナル・コンピュータばかりでなくゲーム機やテレビジョン受信機等にも搭載され、テレビジョン受信機からインターネット上のウエブサイトを閲覧できるようになっている。
パーソナル・コンピュータは一般に卓上に設置されているので、キーボードや、マウス等のポインティングデバイスを使用してウエブサイトに対しアクセスすることができる。しかしながら、ゲーム機やテレビジョン受信機は離れた場所から見ることが多いため、マウス等のポインティングデバイスを接続して閲覧操作することは難しく、リモートコントローラによる操作に頼らざるを得ない。
【０００３】
しかし、テレビジョン受信機のディスプレイに電子番組案内（Electronic Program Guide：ＥＰＧ）情報を表示した場合、番組ごとのウエブサイトへのリンクが多数表示される。また、ニュースサイト等のウエブページを表示させた場合にも、ニュースのヘッドラインや各ジャンルへのリンクやメニューが多数表示される。一方、リモートコントローラは、一般に数字キーや機能キーの他には十字型のカーソルキーしか備えていない。このため、リモートコントローラを用いて上記多数のリンクを選択的に操作することは、非常に面倒である。
【０００４】
一方、リモートコントローラにおいて手書きにより図形を入力したり、手もしくは指のジェスチャーによってテレビジョン受信機に表示されたメニュー項目等を選択する方式が提案されている。この手書き又はジェスチャーによる入力方式は、例えば入力対象のメニュー項目に対し予め対応付けられた図形を手書き又はジェスチャーにより一筆書きで入力するもので、直感的で自然な動きによってメニュー項目を選択できる利点がある（例えば特許文献１を参照）。
【先行技術文献】
【特許文献】
【０００５】
【特許文献１】特開２０１２−２７８５１号公報
【発明の概要】
【発明が解決しようとする課題】
【０００６】
ところが、特許文献１に記載された技術では、ユーザが手書き又はジェスチャーにより入力した図形がテレビジョン受信機で正しく受け付けられたか否かを確認することができない。そこで、手書きやジェスチャーにより入力された図形の描画軌跡をテレビジョン受信機の表示画面に表示させることにより、ユーザが入力図形を確認できるようにする試みがなされている。
【０００７】
しかし、テレビジョン受信機の表示画面には、多数のメニュー項目やその内容を表す画像が並べて又は一部重なった状態で表示されることがある。このような場合、手書き又はジェスチャーによる入力された図形の描画軌跡を表示させる領域が小さくなり、ユーザにとっては描画図形の正否を確認しにくく操作性を損なうおそれがあった。
【０００８】
この発明は上記事情に着目してなされたもので、その目的とするところは、手書きを含むジェスチャーにより入力された図形の描画軌跡をユーザが簡単かつ確実に認識できるようにし、これにより入力操作性の向上を図った情報入力装置を提供することにある。
【課題を解決するための手段】
【０００９】
上記目的を達成するためにこの発明の第１の観点は、手書きを含むジェスチャーにより描かれた図形データを時系列に従い取り込んで保存し、第１の時刻に描かれた図形データの描画座標と、当該第１の時刻より前の第２の時刻に描かれた図形データの描画座標との差を算出して、この算出された差をもとに上記図形データの描画方向が第１の描画方向であるか否かを判定する。そして、上記図形データの描画方向が上記第１の描画方向であると判定された場合に、当該第１の描画方向に対応付けて予め設定した第１のジェスチャー入力確認音を上記第１の時刻に同期して出力するように構成したものである。
【００１０】
また、この発明の第２の観点は、上記算出された差をもとに、上記図形データの描画方向が上記第１の描画方向と異なる第２の描画方向であるか否かをさらに判定し、上記図形データの描画方向が上記第２の描画方向であると判定された場合に、当該第２の描画方向に対応付けて予め設定した第２のジェスチャー入力確認音を上記第１の時刻に同期して出力するように構成したものである。
【００１１】
この発明の第１の観点のより好ましい態様は、上記第１の描画方向を垂直方向に設定し、上記図形データの描画方向が上記第１の描画方向であると判定された場合に、当該図形データの描画方向が上方向又は下方向の何れであるかを判定し、この上方向か下方向かを示す判定結果に応じて音程が変化するように構成された第１のジェスチャー入力確認音を出力するものである。
【００１２】
この発明の第２の観点のより好ましい態様は、上記第２の描画方向を水平方向に設定し、上記図形データの描画方向が上記第２の描画方向であると判定された場合に、当該図形データの描画方向が右方向又は左方向の何れであるかを判定し、この右方向か左方向かを示す判定結果に応じて音場の位置が水平方向に変化するように設定された第２のジェスチャー入力確認音を出力するものである。
【発明の効果】
【００１３】
したがって、この発明の第１の観点によれば、ユーザは出力されるジェスチャー入力確認音により、自身がジェスチャーにより描いた図形の描画方向が正しく受け付けられたか否かを確認することが可能となる。このため、描画軌跡を視覚表示する場合に比べ簡単かつ確実に図形の描画方向を確認することができる。
【００１４】
また、この発明の第２の観点によれば、第１の描画方向だけでなく第２の描画方向についても、第１のジェスチャー入力確認音とは異なる第２のジェスチャー入力確認音が出力されることで、ユーザは異なる２つの描画方向についてそれぞれ入力確認を行うことが可能となる。
【００１５】
さらに、第１の描画方向を垂直方向に設定した場合には、描画方向が上方向か下方向かに応じて音程が変化するように構成されたジェスチャー入力確認音が出力されるので、ユーザは垂直方向の描画を直感的に確認しやすくなる。
【００１６】
さらに、第２の描画方向を水平方向に設定した場合には、描画方向が右方向か左方向かに応じて音場の水平位置が変化するように構成されたジェスチャー入力確認音が出力されるので、ユーザは水平方向の描画を直感的に確認しやすくなる。
【００１７】
すなわちこの発明によれば、手書きを含むジェスチャーにより入力された図形の描画軌跡をユーザが簡単かつ確実に認識することができ、これにより入力操作性の向上を図った情報入力装置を提供することができる。
【図面の簡単な説明】
【００１８】
【図１】この発明の一実施形態に係る情報入力装置を含むシステムの概略構成図。
【図２】図１に情報入力装置として示したテレビジョン受信機とそのリモコン端末の構成を示すブロック図。
【図３】図１及び図２に示したリモコン端末における手書き図形の入力操作の一例を示す図。
【図４】図１及び図２に示したテレビジョン受信機に表示されるメニュー項目とその選択図形の一例を示す図。
【図５】図２に示したテレビジョン受信機における入力方向判定部の処理手順と処理内容を示すフローチャート。
【図６】この発明の他の実施形態に係る情報入力装置を含むシステムの概略構成図。
【発明を実施するための形態】
【００１９】
以下、図面を参照してこの発明に係わる実施形態を説明する。  
［一実施形態］
（構成）
図１は、この発明の一実施形態に係る情報入力装置を含むシステムの概略構成図である。このシステムは、リモートコントローラ端末（以後リモコン端末と略称する）１から送信されるリモコン信号を通信回線３を介してテレビジョン受信機２により受信する構成となっている。通信回線３としては例えば無線が用いられる。無線通信方式には、Bluetooth（登録商標）等の微弱又は小電力タイプの近距離無線データ通信方式が使用可能である。なお、無線の代わりに赤外線を用いることも可能である。
【００２０】
リモコン端末１は、図２に示すように入力デバイス１１として例えば静電容量型のタッチパネルを使用した端末からなる。そして、このタッチパネルの静電分布のデータをもとに入力座標検出部１２において一定の時間間隔で水平Ｘ方向及び垂直Ｙ方向の入力座標値を検出し、この入力座標の検出データを送信制御部１３により無線ユニット１４からテレビジョン受信機２へリモコン信号として送信する。
【００２１】
一方、テレビジョン受信機２は、放送信号を受信し表示する機能やＷｅｂサイトからＷｅｂ情報をダウンロードして表示する機能等の既存の機能に加え、この発明の一実施形態を実現するために必要な機能として、次のような機能を備えている。  
すなわち、テレビジョン受信機２は制御ユニット２１を備え、この制御ユニット２１に表示デバイス２２、無線ユニット２３、音声出力デバイス２４をそれぞれ接続すると共に、図形情報記憶部２５、図形・メニュー対応テーブル２６及び効果音情報記憶部２７をそれぞれ接続している。
【００２２】
表示デバイス２２は、例えば液晶表示器からなる。無線ユニット２３は、リモコン端末１から送信されたリモコン信号を無線回線３を介して受信する。音声出力デバイス２４は、ステレオ音場を形成するための複数のスピーカを有し、テレビジョン放送等の受信音声と、リモコン端末１で手書き入力された図形の描画方向を表す効果音を出力するために使用される。
【００２３】
図形情報記憶部２５には、手書き入力の対象図形として予め設定された複数の図形情報が記憶されている。図形・メニュー対応テーブル２６には、表示デバイス２２にメニュー項目が表示されるごとに、これらのメニュー項目を個別に選択するために各々割り当てられた選択図形を表す情報が、上記メニュー項目に対応付けられて記憶される。効果音情報記憶部２７には、リモコン端末１で手書き入力された図形の描画方向を表す効果音、つまりジェスチャー入力確認音を表す情報が記憶されている。
【００２４】
制御ユニット２１は中央処理ユニット（ＣＰＵ）を有する。そして、この実施形態に係る処理機能として、受信制御部２１１、入力図形認識部２１２、メニュー選択部２１３及び表示制御部２１４を有し、さらに入力方向判定部２１５、垂直連続成分制御部２１６、水平連続成分制御部２１７及び効果音出力制御部２１８を有している。これらの処理機能は、何れも図示しないプログラムメモリに格納されたアプリケーション・プログラムを上記ＣＰＵに実行させることにより実現される。
【００２５】
受信制御部２１１は、無線ユニット２３を制御すると共に、当該無線ユニット２３により受信されたリモコン信号を復号してその復号データ、つまり入力座標データを入力図形認識部２１２及び入力方向判定部２１５にそれぞれ渡す処理を行う。
【００２６】
入力図形認識部２１２は、上記受信制御部２１１から渡された入力座標データを順次蓄積し、この蓄積された入力座標データをもとに図形の始点から終点に至る描画軌跡を、図形情報記憶部２５に記憶された図形情報と照合することにより認識する処理を行う。
【００２７】
メニュー選択部２１３は、上記入力図形認識部２１２により認識された描画図形に対応するメニュー項目を、図形・メニュー対応テーブル２６から検索する。そして、該当するメニュー項目が検索できた場合に当該メニュー項目を選択するための処理を実行し、この選択処理により取得された表示データを表示制御部２１４に渡す処理を行う。  
表示制御部２１４は、上記メニュー選択部２１３から渡された表示データをもとに、表示デバイス２２の表示画面を更新する処理を行う。
【００２８】
入力方向判定部２１５は、上記受信制御部２１１から新たな入力座標データが渡されるごとに、この新たな入力座標データと、保存してある１つ前の入力座標データとの差を求め、この入力座標の差をもとに描画方向が垂直方向であるか水性方向であるかを判定する。さらに、垂直方向であれば上方向であるか下方向であるか、或いはそのどちらでもないかを判定する。また、水平方向であれば右方向であるか左方向であるか、或いはそのどちらでもないかを判定する。
【００２９】
垂直連続成分制御部２１６は、上記入力方向判定部２１５により描画方向が垂直方向と判定された場合に、その向きが上方向か下方向かによって効果音の音程を制御するための音程制御情報を生成する。そして、この生成した音程制御情報を効果音出力制御部２１８へ渡す処理を行う。
【００３０】
水平連続成分制御部２１７は、上記入力方向判定部２１５により描画方向が水平方向と判定された場合に、その向きが右方向か左方向かによって効果音の定位、つまりステレオ音場における効果音の発生位置を制御するための音定位制御情報を生成する。そして、この生成した音定位制御情報を効果音出力制御部２１８へ渡す処理を行う。
【００３１】
効果音出力制御部２１８は、上記垂直連続成分制御部２１６から渡された音程制御情報及び水平連続成分制御部２１７から渡された音程位制御情報に従い、効果音情報記憶部２７から該当する効果音情報を読み出し、この読み出された効果音情報をもとに音声出力デバイス２４から効果音をジェスチャー入力確認音として出力させる処理を行う。
【００３２】
（動作）
（１）入力操作確認音の出力
例えばいま、図４に示すようにテレビジョン受信機２の表示デバイス２２に複数のメニュー項目menu1 ，menu2 ，…，menu14が表示され、かつこれらのメニュー項目menu1 ，menu2 ，…，menu14のそれぞれに対応付けて当該メニュー項目を選択するための図形が表示されているものとする。
【００３３】
この状態でユーザが、リモコン端末１の入力デバイス１１上において、例えば図３に示すような図形４を描いたとする。この図形４は、指を右方向にスライド移動させる操作と上方向にスライド移動させる操作を続けて行うことで描いたものである。すなわち、一筆書きで逆Ｌ型の字を描いたものである。
【００３４】
この図形の入力操作中にリモコン端末１では、入力座標検出部１２により一定の時間間隔、例えば１／３０秒間隔で上記入力デバイス１１上における指の操作位置座標を検出し、この指の操作位置座標の検出データを送信制御部１３の制御の下で無線ユニット１４からテレビジョン受信機２に向け送信する。
【００３５】
これに対しテレビジョン受信機２では、以下のような動作が行われる。  
すなわち、上記リモコン端末１から送信されたリモコン信号はテレビジョン受信機２の無線ユニット２３で受信され、受信制御部２１１により位置座標データに復号される。そして、この復号された入力座標データは、入力図形認識部２１２へ描画図形の認識処理のために送られると共に、入力方向判定部２１５にも送られる。
【００３６】
入力方向判定部２１５では、以下のような手順で手書き図形の描画方向の判定処理が行われる。図５はその処理手順と処理内容を示すフローチャートである。  
すなわち、入力方向判定部２１５は、１つ前のタイミングで受信された入力座標ＸA ，ＹA を座標Ａとして内部メモリに保存している。この状態で、新たな入力座標ＸB ，ＹB が入力されると、この新たな入力座標ＸB ，ＹB と上記１つ前のタイミングで受信された入力座標ＸA ，ＹA との差をそれぞれに算出する。そして、先ずステップＳ１１により、上記算出されたＸ軸の差ＸB −ＸA を予め設定した閾値と比較し、このＸ軸の差ＸB −ＸA が閾値より大きいか否かを判定する。この判定の結果、Ｘ軸の差ＸB −ＸA が閾値より大きければ、上記位置座標の移動は水平方向への移動であると判断し、続いてステップＳ１２において上記Ｘ軸の差ＸB −ＸA の符号（＋／−）を判定する。そして、符号が“−”であれば、ステップＳ１３において入力座標の移動は「左方向」と判定する。これに対し符号が“＋”であれば、ステップＳ１４において入力座標の移動は「右方向」と判定する。そして、今回入力された上記入力座標ＸB ，ＹB をステップＳ１９において内部メモリに保存する。
【００３７】
一方、上記ステップＳ１１による判定の結果、Ｘ軸の差ＸB −ＸA が閾値以下だったとする。この場合入力方向判定部２１５は、ステップＳ１５においてＹ軸の差ＹB −ＹA を予め設定した一定値と比較し、このＹ軸の差ＹB −ＹA が一定値より大きいか否かを判定する。この判定の結果、Ｙ軸の差ＹB −ＹA が一定値より大きければ、上記位置座標の移動は垂直方向への移動であると判断し、続いてステップＳ１６において上記Ｙ軸の差ＹB −ＹA の符号（＋／−）を判定する。そして、符号が“−”であれば、ステップＳ１８において入力座標の移動は「下方向」と判定する。これに対し符号が“＋”であれば、ステップＳ１７において入力座標の移動は「上方向」と判定する。そして、今回入力された上記入力座標ＸB ，ＹB をステップＳ１９において内部メモリに保存する。
【００３８】
上記入力方向判定部２１５において入力座標の移動方向が「水平方向」と判定されると、水平連続成分制御部２１７では水平方向の向きが右方向か左方向かに応じて効果音の定位、つまりステレオ音場における効果音の発生位置を決定する。そして、この音の発生位置を指定する情報を効果音出力制御部２１８へ出力する。効果音出力制御部２１８では、上記水平連続成分制御部２１７から渡された音の発生位置を指定する情報に従い、効果音情報記憶部２７から該当する効果音情報を読み出し、この読み出された効果音情報をもとに音声出力デバイス２４から効果音を出力させる。
【００３９】
このため、例えば図３に示したようにユーザが左側から右方向に指をスライド移動させた場合、テレビジョン受信機２の音声出力デバイス２４からは、ステレオ音場において左側から右方向へ音源が移動するような効果音が出力される。したがって、ユーザは左から右方向へのスライド操作がテレビジョン受信機２において正しく受信されたことを直感的に確認することができる。
【００４０】
一方、上記入力方向判定部２１５において、入力座標の移動方向が「垂直方向」と判定されたとする。そうすると垂直連続成分制御部２１６では、垂直方向の向きが上方向か下方向かに応じて効果音の音程を決定する。そして、この音程を指定する情報を効果音出力制御部２１８へ出力する。効果音出力制御部２１８では、上記垂直連続成分制御部２１６から渡された音程を指定するに従い、効果音情報記憶部２７から該当する効果音情報を読み出し、この読み出された効果音情報をもとに音声出力デバイス２４から効果音を出力させる。
【００４１】
このため、例えば図３に示したようにユーザが右方向に指をスライド移動させた後、続けて下側から上方向へ指をスライド移動させた場合、テレビジョン受信機２の音声出力デバイス２４からは、音程が低い状態から次第に高い状態に変化するような効果音が出力される。したがって、ユーザは下側から上方向へのスライド操作がテレビジョン受信機２において正しく認識されたことを直感的に確認することができる。
【００４２】
（２）描画図形の認識とメニューの選択
テレビジョン受信機２の入力図形認識部２１２では、上記受信制御部２１１から渡された入力座標データが順次蓄積され、入力座標データの受信が途絶えることにより一筆書きの終了が検出されると、この蓄積された入力座標データにより表される描画図形の始点から終点までの描画軌跡が、図形情報記憶部２５に記憶されているか否かを判定する。
【００４３】
そして、該当する図形情報が見つかると、メニュー選択部２１３により上記認識された図形情報に対応付けられたメニュー項目が、図形・メニュー対応テーブル２６から検索される。そして、該当するメニュー項目が検索されると、当該メニュー項目を選択するための処理が実行される。そして、この処理の実行により例えばＷｅｂサイトから新たなＷＥｂデータが取得されると、表示制御部２１４により表示デバイス２２に表示中の表示データが更新される。
【００４４】
例えば、図３に示したような逆Ｌ型の図形が認識されると、この逆Ｌ型の図形が対応付けられたメニュー項目は図４においてはmenu12である。このため、メニュー選択部２１３ではmenu12が選択されたと判断され、このmenu12に相当するＷｅｂ情報がダウンロードされて表示デバイス２２に表示される。かくして、図形の手書き入力によるメニュー項目の選択がなされる。
【００４５】
（作用効果）
以上詳述したように一実施形態では、リモコン端末１から手書き入力された図形の入力座標データを受信するごとに、保存してある１つ前の入力座標データとの差をもとに描画方向が垂直方向であるか水平方向であるかを判定し、さらに上記入力座標の差の符号から垂直方向であれば上方向か下方向か、水平方向であれば右方向か左方向かを判定する。そして描画方向が垂直方向と判定されると、描画方向が下から上方向の場合には音程が次第に高くなり、一方上から下方向の場合には音程が次第低くなるような効果音を出力させる。これに対し、描画方向が水平方向と判定されると、描画方向が右から左方向の場合にはステレオ音場における効果音の音源位置が右から左方向に移動し、一方左から右方向の場合にはステレオ音場における効果音の音源位置が左から左方向に移動するような効果音を出力させる。
【００４６】
従って、ユーザは音声出力デバイス２４から出力される効果音の音程又は音源位置により、自身が手書き入力した図形の描画方向が正しく受け付けられたか否かを直感的に確認することが可能となる。このため、表示デバイス２２に描画軌跡を表示させる場合に比べ、簡単かつ確実にしかも直感的に分かり易い状態で手書き図形の描画方向を確認することができる。
【００４７】
［他の実施形態］
なお、この発明は上記実施形態に限定されるものではない。例えば、指を動かして空間に図形を描画した場合に、この図形を描画する動き、つまりユーザのジェスチャーをカメラにより撮像してその撮像画像データをテレビジョン受信機に取り込み、この取り込まれた撮像画像データをもとに描画図形を認識するようにしてもよい。
【００４８】
この実施形態を実現するには、例えば図６に示すようにテレビジョン受信機２にカメラ７を付設し、このカメラ７によりユーザ５のジェスチャーを撮像する。このときユーザ５の指先には例えばＬＥＤマーカ６を装着しておき、周囲が明るい場合でも描画軌跡８を検出しやすくする。
【００４９】
テレビジョン受信機２は、上記カメラ７から出力された撮像画像データを取り込み、この撮像画像データから指の動き、つまり描画軌跡８を検出して、その座標データを入力図形認識部２１２及び入力方向判定部２１５に与える。以後の入力図形の認識から表示データの更新までの処理、及び入力方向の判定からその方向に応じた効果音の出力制御までの処理は、前記一実施形態で述べた処理と同じである。
【００５０】
このようによれば、ユーザ５が指を動かして空間に図形を描画した場合にも、先に述べた一実施形態の場合と同様に、ユーザ５のジェスチャーによりメニュー項目の選択操作を行うことができ、しかもこのジェスチャーによる描画の方向を効果音を異ならせてユーザ５に提示することができる。
【００５１】
また、前記実施形態では描画方向が垂直方向の場合に音程を、一方水平方向の場合にステレオ音場における音源位置をそれぞれ可変するようにした。しかし、これに限定されるものではなく、音量や音の断続周期を可変するようにしてもよい。また、水平方向の場合にステレオ音場における音源位置を可変にする代わりに、再生音の時間的位置を可変にするようにしてもよい。このようにすると、描画方向が左から右方向の場合には順方向に音を再生することになり、右から左方向の場合には逆方向に音を再生することになる。その他、情報入力装置の種類や構成、処理手順と処理内容、図形の形状等についても、この発明の要旨を逸脱しない範囲で種々変形して実施できる。
【００５２】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００５３】
１…リモコン端末、２…テレビジョン受信機、３…無線回線、４，８…描画図形、５…ユーザ、６…ＬＥＤマーカ、７…カメラ、１１…入力デバイス、１２…入力座標検出部、１３…送信制御部、１４…無線ユニット、２１…制御ユニット、２２…表示デバイス、２３…無線ユニット、２４…音声出力デバイス、２５…図形情報記憶部、２６…図形・メニュー対応テーブル、２７…効果音情報記憶部２７、２１１…受信制御部、２１２…入力図形認識部、２１３…メニュー選択部、２１４…表示制御部、２１５…入力方向判定部、２１６…垂直連続成分制御、２１７…水平連続性分制御機能、２１８…効果音出力制御部。
【図１】
2013225211.tif 000003
【図２】
2013225211.tif 000004
【図３】
2013225211.tif 000005
【図４】
2013225211.tif 000006
【図５】
2013225211.tif 000007
【図６】
2013225211.tif 000008